(57)【要約】【課題】分割した前分割棚の前方に比較的太く、背の高いものも貯蔵することが可能になり、使い勝手を一層向上させるようにする。【解決手段】冷蔵室３内に設置された第１の棚３０は、左部が右部より奥行き寸法が大きく、前縁部に段差部３５を有する。第１の棚３０の上方に設置される第２の棚は、奥行き方向で後分割棚と前分割棚３３とに分割可能とし、前分割棚３３は、奥行き大部３３ａと奥行き小部３３ｂを有すると共に、前縁部に段差部３４を有する。前分割棚３３は、奥行き大部３３ａを左にして設置する場合（（ａ））と、左右を反転させて裏返し、奥行き小部３３ｂを左にして設置する場合（（ｂ））とで使用ができる。（ｂ）の場合、第１の棚３０の左部の前縁部と前分割棚３３の奥行き小部３３ｂの前縁部との間の奥行き寸法Ｆを大きく確保でき、ここに比較的太く、背の高いものを貯蔵することが可能になる。【選択図】図８
2010091213.tif 000002
【特許請求の範囲】
【請求項１】
前面に開口部を有した貯蔵室と、
この貯蔵室の前記開口部を開閉する扉と、
前記貯蔵室内の左側面と右側面との間に掛け渡すように設置され、奥行き寸法が左右で異なるように構成された第１の棚と、
この第１の棚の上方に位置させて前記貯蔵室内の左側面と右側面との間に掛け渡すように設置され、奥行き寸法が左右で異なるように構成された第２の棚とを備え、
前記第２の棚は、奥行き方向で後方の後分割棚と前方の前分割棚とに分割可能に構成され、
分割された前記前分割棚は、前記貯蔵室内の後部に位置させる状態で、左右を反転させて裏返しても使用が可能に構成されていることを特徴とする冷蔵庫。
【請求項２】
前記第２の棚の分割された前記後分割棚と前記前分割棚は、前記貯蔵室内に上下２段に設置して使用が可能であることを特徴とする請求項１記載の冷蔵庫。
【請求項３】
前記第２の棚において、前記前分割棚の奥行き寸法が最も長い部分が、分割前の前記第２の棚の奥行き寸法が最も短い部分よりも短く設定されていることを特徴とする請求項１または２記載の冷蔵庫。
【請求項４】
前記貯蔵室内の左右両側面において、分割された前記前分割棚を受ける左右の両分割棚受部は、前記前分割棚の奥行き寸法が最も短い部分より奥行き寸法が長く設定されていることを特徴とする請求項２記載の冷蔵庫。
【発明の詳細な説明】
【技術分野】
【０００１】
本発明は、貯蔵室内に複数段の棚板を備えた冷蔵庫に関する。
【背景技術】
【０００２】
従来より、冷蔵庫においては、貯蔵室、特に冷蔵室内に上下複数段の棚板を設置し、各棚板上に収納物を載置するように構成され、また、前記冷蔵室を開閉する扉の内側（裏側）には、上下複数段のドアポケットが設けられていて、各ドアポケットにも収納物を収納できる構成となっている。また、特に大型の冷蔵庫においては、冷蔵室の前面開口部を開閉する扉を左右２枚とした、いわゆる観音開き式の扉を備えたものがある。この場合、左扉の内側には左ドアポケットが複数段設けられ、右扉の内側には右ドアポケットが複数段設けられている。
【０００３】
上記観音開き式の扉を備えた冷蔵庫において、貯蔵室（冷蔵室）の収納効率や利便性の向上を目的として、左ドアポケットと右ドアポケットの奥行き寸法を異ならせるとともに、冷蔵室内に設置される複数段の各棚板の奥行き寸法を左右で異ならせ、各棚板の前縁部に段差部を有する構成としたものが提案されている（例えば、特許文献１参照）。
【０００４】
具体的には、左ドアポケットの奥行き寸法よりも右ドアポケットの奥行き寸法を大きく設定する。棚板は、左側の奥行き寸法を、右側の奥行き寸法より大きく設定する。このように構成することで、冷蔵室内に収納物を置けない空間を極力少なくする構成としている。また、各棚板は、奥行き方向で後方の後分割棚と前方の前分割棚とに分割可能に構成し、その分割した前分割棚を、後分割棚の下方にも設置できるようにすることで、これら分割された前分割棚及び後分割棚の前方に、細い背の高い瓶などを置くことが可能になり、使い勝手を一層向上させた構成となっている。
【特許文献１】特開２００８−５１４８７号公報
【発明の開示】
【発明が解決しようとする課題】
【０００５】
上記した特許文献１の構成のものでは、分割した前分割棚の前縁部は、下方に設置された棚板の前縁部の後方で、当該棚板の前縁部に沿った形態となっている。このため、前分割棚の下方に設置された棚板上の手前側にできる、高さ方向に大きな空間は、十分な奥行き寸法が得られない。このため、棚板を分割しても、前分割棚の前方には、背の高いものは細いものしか置くことができないという欠点があった。
【０００６】
本発明は上記した事情に鑑みてなされたものであり、その目的は、分割した前分割棚の前方に比較的太く、背の高いものも貯蔵することが可能になり、使い勝手を一層向上させることができる冷蔵庫を提供することにある。
【課題を解決するための手段】
【０００７】
上記した目的を達成するために、本発明の冷蔵庫は、前面に開口部を有した貯蔵室と、
この貯蔵室の前記開口部を開閉する扉と、前記貯蔵室内の左側面と右側面との間に掛け渡すように設置され、奥行き寸法が左右で異なるように構成された第１の棚と、この第１の棚の上方に位置させて前記貯蔵室内の左側面と右側面との間に掛け渡すように設置され、奥行き寸法が左右で異なるように構成された第２の棚とを備え、前記第２の棚は、奥行き方向で後方の後分割棚と前方の前分割棚とに分割可能に構成され、分割された前記前分割棚は、前記貯蔵室内の後部に位置させる状態で、左右を反転させて裏返しても使用が可能に構成されていることを特徴とする。
【発明の効果】
【０００８】
本発明において、分割された前分割棚を、貯蔵室内の後部に位置させる際に、左右を反転させて裏返して設置した場合、前分割棚において奥行き寸法が小さい側が、下方に設置された棚板の奥行き寸法が大きい側の上方に位置するようになる。このため、前分割棚の下方に設置された棚板において奥行き寸法が大きな部分の上にできる、前分割棚の前方の高さ方向に大きな空間は、大きな奥行き寸法が得られるようになる。このため、分割した前分割棚の奥行き寸法が小さい側の前方に、比較的太く、背の高いもの、例えば西瓜や鍋のようなものを貯蔵することが可能になり、使い勝手を一層向上させることが可能となる。
【発明を実施するための最良の形態】
【０００９】
（第１の実施形態）
以下、本発明の第１の実施形態について図１〜図９を参照して説明する。
図１及び図２において、この冷蔵庫１は、観音開き式の扉を備えた冷蔵庫であり、断熱箱体２内に複数に区画された複数の貯蔵室を備えている。具体的には、冷蔵庫１は、最上部の冷蔵室３と、この冷蔵室３の下方の左側に配置された製氷室４と、この製氷室４の右側に配置され庫内の温度が可変できる切換室５と、これら製氷室４及び切換室５の下方に配置された野菜室６と、この野菜室６の下方に配置された冷凍室７とを備えている。
【００１０】
各貯蔵室の前面には、例えばウレタンのような発泡断熱材を発泡充填した断熱扉が設けられている。具体的には、冷蔵室３の前面には、観音開き式の左扉８及び右扉９が設けられている。これら左扉８及び右扉９は、それぞれヒンジ１０、１１により左右方向に回動可能に枢支されている。また、製氷室４、切換室５、野菜室６及び冷凍室７の前面には、それぞれ引き出し式の扉４ａ，５ａ，６ａ，７ａが設けられている。この場合、冷蔵室３の左扉８は右扉９より左右方向の幅寸法が短く設定されていて、左扉８と右扉９は、下方の製氷室４の扉４ａと切換室５の扉５ａとが分割された位置とほぼ同じ左右方向の位置で分割されている。
【００１１】
冷蔵庫１の断熱箱体２は、図３及び図４に示すように、合成樹脂製の内箱１２と鋼板製の外箱１３とで形成された空間に発泡断熱材１４を充填した断熱壁で構成されている。なお、野菜室６と冷凍室７の後側には、図示しない冷却器及びファンが設けられており、冷蔵庫１の下部後部に配設された図示しない圧縮機により各冷却器が駆動され、その冷却器により冷却された冷気が各貯蔵室に送られる。また、各貯蔵室は、貯蔵室ごとにそれぞれ所定の温度に冷却制御されるようになっている。図３及び図４において、冷蔵室３の後部には、冷却器で冷却された冷気を冷蔵室３側へ導くための冷気ダクト１５が設けられている。
【００１２】
冷蔵室３の左扉８及び右扉９のそれぞれの内側の周縁部には、シール用のガスケット１６が取り付けられている。また、左扉８の内側（冷蔵室３側）には、冷蔵室３側へ突出する左ドアポケット１７が上下方向に複数段設けられている。右扉９の内側（冷蔵室３側）にも、冷蔵室３側へ突出する右ドアポケット１８が上下方向に複数段設けられている。左ドアポケット１７は、複数段が同様な形状とされている。右ドアポケット１８も、複数段が同様な形状とされとされている。
【００１３】
この場合、図４に示すように、左扉８及び右扉９（この場合、左ドアポケット１７、右ドアポケット１８も含む）は、それらを開閉する際に相手側と干渉しないように、左ドアポケット１７及び右ドアポケット１８を、それぞれ左扉８及び右扉９の回転軌跡１９，２０（図４の一点鎖線）内に収まる形状に設定する必要がある。このため、左ドアポケット１７の奥行き寸法Ａ１は、右ドアポケット１８の奥行き寸法Ａ２よりも短く設定されている（Ａ１＜Ａ２）。また、右ドアポケット１８の左側には、傾斜部１８ａを形成している。
【００１４】
図４に示すように、左扉８と右扉９との間には仕切体２２が配置され、これら左扉８と右扉９が共に閉まった際にその仕切体２２と各ガスケット１６とによって、これら左扉８と右扉９との間の隙間がシールされる構造となっている。仕切体２２は、左扉８の右端に回動可能に取り付けられていて、右扉９が先に閉められた後からでも左扉８を閉めることができるように、左扉８の開閉とともに回動する構造となっている。
【００１５】
冷蔵室３内の最下段には、肉や魚などを収納するためのチルドケース２３や、卵などを収納する小物ケース２４が配設されている。そして、冷蔵室３内において、それらチルドケース２３及び小物ケース２４の直ぐ上方には、一枚の第１の棚３０が配設され、この第１の棚３０の上方に第２の棚３１が、複数段、この場合図２に示すように上下方向に３段配設されている。これら第１の棚３０及び第２の棚３１は、いずれも合成樹脂製で、冷蔵室３内の左側面と右側面との間に水平状態に掛け渡すように設置されている。なお、第１の棚３０及び第２の棚３１は、ガラス製とすることもできる。
【００１６】
このうち第２の棚３１は、図４に示すように、奥行き方向の中間部で後方の後分割棚３２と前方の前分割棚３３とに分割可能に構成されている。このうち、後分割棚３２は、左右方向に長い単純な長方形の形状に形成されていて、左端辺の奥行き寸法Ｂ１と右端辺の奥行き寸法Ｂ２は等しくなるように設定されている（Ｂ１＝Ｂ２）。これに対して、前分割棚３３は、左部の奥行き寸法が右部の奥行き寸法よりも大きくなる形状に形成されていて、左端辺の奥行き寸法Ｃ１が右端辺の奥行き寸法Ｃ２よりも大きくなるように設定されている（Ｃ１＞Ｃ２）。この前分割棚３３の形状は、左ドアポケット１７と右ドアポケット１８の冷蔵室３側への突出寸法の違いに対応させるためでる。前分割棚３３の前縁部には、左部と右部との中間部に段差部３４が形成されている。この段差部３４は、右ドアポケット１８の左側の傾斜部１８ａに沿うような形状となっている。この場合、前分割棚３３の左端辺の奥行き寸法Ｃ１は、後分割棚３２の左右の端辺の奥行き寸法Ｂ１，Ｂ２より大きく設定され（Ｃ１＞Ｂ１，Ｂ２）、また、前分割棚３３の右端辺の奥行き寸法Ｃ２は、後分割棚３２の左右の端辺の奥行き寸法Ｂ１，Ｂ２より小さく設定されている（Ｃ２＜Ｂ１，Ｂ２）。
【００１７】
したがって、分割前の第２の棚３１（後分割棚３２と前分割棚３３とを合わせたもの）は、左部の奥行き寸法Ｄ１（Ｂ１＋Ｃ１）が右部の奥行き寸法Ｄ２（Ｂ２＋Ｃ２）よりも大きくなっており（Ｄ１＞Ｄ２）、奥行き寸法が左右で異なった形状となっている。ここで、図４において、前分割棚３３にあって、奥行き寸法が大きい左部を奥行き大部３３ａと称し、奥行き寸法が小さい右部を奥行き小部３３ｂと称する。第２の棚３１において、前分割棚３３の奥行き寸法が最も長い部分である左端辺の奥行き寸法Ｃ１は、分割前の第２の棚３１の奥行き寸法が最も短い部分である右部の奥行き寸法Ｄ２（Ｂ２＋Ｃ２と同じ）よりも短く設定されている（Ｃ１＜Ｄ２）。３枚の第２の棚３１は同様な構成となっている。
【００１８】
これに対して、前記第１の棚３０は、図５に示すように、一枚の板から構成され、外形形状は第２の棚３１（後分割棚３２と前分割棚３３とを合わせたもの）の外形形状とほぼ同様に構成されている。したがって、第１の棚３０も、第２の棚３１と同様に、左部の奥行き寸法は右部の奥行き寸法よりも大きく設定されていて、奥行き寸法が左右で異なるように構成されている。第１の棚３０の前縁部にも、左部と右部との中間部に、前記段差部３４と同形状の段差部３５が形成されている。
【００１９】
冷蔵室３内の左側面及び右側面には、第２の棚３１を受け支持するための棚受部が対向する位置に設けられている。具体的には、冷蔵室３内の左側面には、図３に示すように、第２の棚３１を受けるための棚受部４０ａが３段設けられている。各棚受部４０ａは、冷蔵室３の内方側へ庇状に突出するとともに、前後方向に延びている。各棚受部４０ａの前端から後端までの奥行き寸法は、第２の棚３１の左部の奥行き寸法Ｄ１とほぼ同じ長さに設定されている（図４参照）。冷蔵室３内の右側面にも、棚受部４０ａと対向する位置に、その棚受部４０ａと同様な形状の棚受部４０ｂ（図４参照）が設けられている。右側の棚受部４０ｂの前端から後端までの奥行き寸法は、第２の棚３１の右部の奥行き寸法Ｄ２とほぼ同じ長さに設定されている。
【００２０】
したがって、第２の棚３１の後分割棚３２及び前分割棚３３は、それぞれの左右両端部を左右の対向する棚受部４０ａ，４０ｂに受け支持させることにより、冷蔵室３内の左側面と右側面との間に掛け渡すようにして水平状態に設置することができる。
【００２１】
また、冷蔵室３内の左側面及び右側面には、第２の棚３１を受け支持するための各棚受部４０ａ，４０ｂの下方に位置させて、分割棚受部４１ａ，４１ｂ（図３、図６、図７、図８（ａ），（ｂ）参照）が対向する位置に設けられている。これら分割棚受部４１ａ，４１ｂは、棚受部４０ａ，４０ｂと同様に、冷蔵室３の内方側へ庇状に突出するとともに、前後方向に延びているが、棚受部４０ａ，４０ｂよりも奥行き寸法が短く、後部寄りに配置されている。左側の分割棚受部４１ａと右側の分割棚受部４１ｂは、前端から後端までの奥行き寸法が同じ長さに設定されている。左右の両分割棚受部４１ａ，４１ｂの奥行き寸法は、前分割棚３３の奥行き寸法が長い左端辺の奥行き寸法Ｃ１とほぼ同じ長さ、この場合やや長く設定されている。したがって、左右の両分割棚受部４１ａ，４１ｂは、前分割棚３３の奥行き寸法が最も短い部分である右端辺より奥行き寸法が長く設定されている。
【００２２】
第２の棚３１のうち、棚受部４０ａ，４０ｂから外した前分割棚３３は、図３及び図６に示すように、それぞれの左右両端部を左右の対向する分割棚受部４１ａ，４１ｂに受け支持させることにより、冷蔵室３内の左側面と右側面との間に掛け渡すようにして水平状態に設置することができる。
なお、左右の棚受部４０ａ，４０ｂ及び分割棚受部４１ａ，４１ｂは、この場合、前後方向にそれぞれ１本で構成されているが、前後方向で複数本に分割した構成とすることもできる。
【００２３】
前分割棚３３の左右両端部には、フック４３が着脱可能に取り付けられている。このフック４３の取付構造について、図９を参照して説明する。前分割棚３３の左右両端部の奥行き方向の中間部に、他の部分より窪んだフック取付部４４が形成されている。このフック取付部４４の横方向の奥側の上下両側（表裏両側）に、係合凹部４５が形成されている。これに対して、フック４３は例えば合成樹脂製で、ほぼコ字形をなす被取付部４６と、フック部４７とを一体に有していて、被取付部４６の先端部に係合爪４８が一体に設けられている。
【００２４】
フック４３は、前分割棚３３のフック取付部４４に次のようにして取り付ける。フック４３のフック部４７を下側にした状態で、被取付部４６を、前分割棚３３のフック取付部４４に横方向から嵌合させ、係合爪４８を上側の係合凹部４５に係合させる。これにより、フック４３を前分割棚３３の一端部に取り付ける。他方の端部にもフック４３を同様にして取り付ける。
なお、フック４３は、前分割棚３３のフック取付部４４に対して、前述したようにフック部４７を下側にした状態でも取り付けられるが、フック部４７を上側にした状態でも取り付けることができる。この場合、係合爪４８は下側の係合凹部４５に係合させることになる。
【００２５】
このようにフック４３を前分割棚３３の左右両端部に取り付けた状態で、前分割棚３３を例えば棚受部４０ａ，４０ｂに取り付ける場合には、図９に示すように各フック４３におけるフック部４７を、これが棚受部４０ａ，４０ｂを横から抱え込むように位置させる。前分割棚３３を棚受部４０ａ，４０ｂにこのように取り付けることで、例えば前分割棚３３の先端に手を掛けた場合でも、フック部４７が棚受部４０ａ，４０ｂに係合することで、その前分割棚３３が傾いて当該前分割棚３３上に置かれたものが落下することを防止することができる。前分割棚３３を、分割棚受部４１ａ，４１ｂに取り付ける場合にも、上記と同様な取付構造とすることで、前分割棚３３が傾くことを防止することができる。
【００２６】
なお、後分割棚３２の左右両端部にも、前分割棚３３のフック４３と同様なフック４３が取り付けられている。
上記した構成の冷蔵庫１においては、図４に示すように、左扉８の左ドアポケット１７の奥行き寸法Ａ１は、右扉９の右ドアポケット１８の奥行き寸法Ａ２よりも短く設定し、冷蔵室３内に設置される第１の棚３０及び第２の棚３１は、左部の奥行き寸法Ｄ１を右部の奥行き寸法Ｄ２よりも長く設定し、第１の棚３０及び第２の棚３１の前縁部には段差部３４，３５を形成することで、冷蔵室３内に収納物を置けない空間を極力少なくすることができ、収納効率を向上させることができる。
【００２７】
また、第２の棚３１は後分割棚３２と前分割棚３３とに分割が可能で、棚受部４０ａ，４０ｂから外した前分割棚３３は、図３及び図６に示すように、後分割棚３２の下方に存する分割棚受部４１ａ，４１ｂに設置することができる。すなわち、第２の棚３１の分割された後分割棚３２と前分割棚３３は、上下２段に設置して使用することが可能になる。このようにした場合には、後分割棚３２及び前分割棚３３の前方に、高さ方向（上下方向）に大きな空間ができるから、前分割棚３３の下方の第１の棚３０の前部の上に、背の高い瓶などを置くことが可能になり、使い勝手を一層向上させることができる。また、前分割棚３３を分割棚受部４１ａ，４１ｂに設置することで、当該前分割棚３３と上方の後分割棚３２との間にも、高さが小さいながら収納スペースができるから、前分割棚３３上にも背の小さな収納物を置くことが可能になる。
【００２８】
ここで、図６に示すように、棚受部４０ａ，４０ｂから外した前分割棚３３を、そのまま後分割棚３２の下方の分割棚受部４１ａ，４１ｂに設置した場合には、前分割棚３３の前縁部は、下方に設置された第１の棚３０の前縁部の後方で、当該第１の棚３０の前縁部に沿った形態となっている。このため、第１の棚３０上の手前側にできる、高さ方向に大きな空間は、十分な奥行き寸法が得られない。具体的には、図８（ａ）に示すように、第１の棚３０において奥行き寸法が大きな左部の前縁部と前分割棚３３において奥行き寸法が大きな左側の奥行き大部３３ａの前縁部との間の奥行き寸法Ｅ１と、第１の棚３０において奥行き寸法が小さな右部の前縁部と前分割棚３３において奥行き寸法が小さな右側の奥行き小部３３ｂの前縁部との間の奥行き寸法Ｅ２とは同じ長さとなり（Ｅ１＝Ｅ２）、第１の棚３０上の手前側にできる、高さ方向に大きな空間は、十分な奥行き寸法が得られない。このため、第２の棚３１を分割しても、前分割棚３３の前方には、背の高いものは細いものしか置くことができないことになる。
【００２９】
そこで、本実施形態においては、図７に示すように、棚受部４０ａ，４０ｂから外した前分割棚３３を、左右を反転させるようにして裏返した状態で、分割棚受部４１ａ，４１ｂに設置するようにする。このとき、左右の両フック４３は、上下向きを変えるように付け替える。前分割棚３３を、図７に示すように設置した場合には、図８（ｂ）に示すように、前分割棚３３において奥行き寸法が小さい奥行き小部３３ｂ側が、下方に設置された第１の棚３０の奥行き寸法が大きい左部の上方に位置するようになる。このため、第１の棚３０において奥行き寸法が大きな左部の前縁部と前分割棚３３において奥行き寸法が小さな奥行き小部３３ｂの前縁部との間の奥行き寸法Ｆを、図６における前記第１の棚３０の前縁部と前分割棚３３の前縁部との間の奥行き寸法Ｅ１，Ｅ２よりも大きく確保することができる（Ｆ＞Ｅ１，Ｅ２）。
【００３０】
これにより、前分割棚３３の下方に設置された第１の棚３０において奥行き寸法が大きな左部の上にできる、前分割棚３３の前方の高さ方向に大きな空間は、大きな奥行き寸法Ｆが得られるようになる。このため、分割した前分割棚３３の奥行き寸法が小さい奥行き小部３３ｂの前方に、比較的太く、背の高いもの、例えば西瓜や鍋のようなを置く（貯蔵する）ことが可能になり、使い勝手を一層向上させることが可能となる。
なお、第２の棚３１を分割した場合、前分割棚３３を棚受部４０ａ，４０ｂに設置し、外した後分割棚３２を、棚受部４０ａ，４０ｂの下方の分割棚受部４１ａ，４１ｂに設置することも可能である。
【００３１】
図４において、前分割棚３３の奥行き寸法が最も長い部分である左端辺の奥行き寸法Ｃ１は、分割前の第２の棚３１の奥行き寸法が最も短い部分である右部の奥行き寸法Ｄ２（Ｂ２＋Ｃ２と同じ）よりも短く設定されている（Ｃ１＜Ｄ２）。このため、図８（ｂ）に示すように、前分割棚３３を、左右が反転するように表裏を裏返した状態で、分割棚受部４１ａ，４１ｂに設置した状態でも、奥行き大部３３ａの前縁部が、奥行き寸法が大きな右ドアポケット１８と干渉することを防止できる。
【００３２】
左右の分割棚受部４１ａ，４１ｂは、前分割棚３３の奥行き寸法が最も大きい奥行き大部３３ａとほぼ同じか、それよりも奥行き寸法を長く設定している。このため、前分割棚３３を、分割棚受部４１ａ，４１ｂに図６に示すように設置する場合も、図７に示すように、左右を反転させて裏返して設置する場合も、その前分割棚３３を安定した状態で支持することができる。なお、左右の分割棚受部４１ａ，４１ｂの奥行き寸法は、少なくとも前分割棚３３の奥行き寸法が最も小さい部分より長く、前分割棚３３の奥行き寸法が最も長い側を安定した状態で支持することができる長さ（前分割棚３３の奥行き寸法が最も長い部分の８０％以上）あればよい。
【００３３】
（第２の実施形態）
図１０は本発明の第２の実施形態を示したものであり、この第２の実施形態は、特にフックの取付構造が第１の実施形態とは異なっている。
第２の棚の分割可能な前分割棚３３Ａは、第１の実施形態における前分割棚３３よりも厚さが薄く形成されている。そして、その前分割棚３３Ａの左右両端部（図１０には左端部のみ示す）に、ほぼＬ字形をなすフック取付部５１が上下両側に設けられている。各フック取付部５１には、係合孔５２が形成されている。また、各フック取付部５１と前分割棚３３Ａの主体部との間には、挿入溝５３が形成されている。これに対して、フック５４は例えば合成樹脂製で、舌片状の被取付部５５と、フック部５６とを一体に有し、被取付部５５に係合爪５７が一体に設けられている。
【００３４】
このフック５４は、被取付部５５を例えば下側の挿入溝５３に挿入し、係合爪５７を下側のフック取付部５１の係合孔５２に係合させることによって、前分割棚３３Ａの端部に取り付けられる。また、前分割棚３３Ａを、棚受部４０ａ，４０ｂ或いは分割棚受部４１ａ，４１ｂに設置する場合には、フック５４のフック部５６が、棚受部４０ａ，４０ｂ或いは分割棚受部４１ａ，４１ｂを横から包み込むように位置させる。
【００３５】
この場合も、フック５４は、上側のフック取付部５１に付け替えることもできる。
本発明は、上記した両実施形態にのみ限定されるものではなく、次のように変形または拡張できる。
分割可能な第２の棚３１は、３枚（３段）設けたが、１枚（１段）のみとすることもできる。
冷蔵室３の扉は、観音開き式の左扉、右扉に限られず、１枚の扉でもよい。
【図面の簡単な説明】
【００３６】
【図１】本発明の第１の実施形態を示す冷蔵庫全体の正面図
【図２】冷蔵室の扉を開けた状態での冷蔵庫の斜視図
【図３】図１におけるＸ１−Ｘ１線に沿う縦断側面図
【図４】図３におけるＸ２−Ｘ２線に沿う横断平面図
【図５】冷蔵室の下部部分の斜視図
【図６】第２の棚の前分割棚を外して分割棚受部に設置した状態の図５相当図
【図７】図６に対して、前分割棚を、左右を反転させて裏返して分割棚受部に設置した状態の図５相当図
【図８】（ａ）は図６におけるＸ３−Ｘ３線に相当する部分で切断した状態での冷蔵庫の横断平面図、（ｂ）は図７におけるＸ４−Ｘ４線に相当する部分で切断した状態での冷蔵庫の横断平面図
【図９】フックの取付構造を示す縦断正面図
【図１０】本発明の第２の実施形態を示す図９相当図
【符号の説明】
【００３７】
図面中、１は冷蔵庫、２は断熱箱体、３は冷蔵室（貯蔵室）、４は製氷室、５は切換室、６は野菜室、７は冷凍室、８は左扉（扉）、９は右扉（扉）、１７は左ドアポケット、１８は右ドアポケット、３０は第１の棚、３１は第２の棚、３２は後分割棚、３３は前分割棚、３３ａは奥行き大部、３３ｂは奥行き小部、３４，３５は段差部、４０ａ，４０ｂａは棚受部、４１ａ，４１ｂは分割棚受部、４３はフック、３３Ａは前分割棚、５４はフックを示す。
【図１】
2010091213.tif 000003
【図２】
2010091213.tif 000004
【図３】
2010091213.tif 000005
【図４】
2010091213.tif 000006
【図５】
2010091213.tif 000007
【図６】
2010091213.tif 000008
【図７】
2010091213.tif 000009
【図８】
2010091213.tif 000010
【図９】
2010091213.tif 000011
【図１０】
2010091213.tif 000012